【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  ある表面を消毒する方法であって、前記表面に、（ａ）塩化臭素またはアルカリ金属のジクロロ次亜臭素酸塩と（ｂ）ｐＨが少なくとも７のスルファミン酸アルカリ金属塩水溶液から（ｉ）組成物中の活性臭素含有量が少なくとも１００,０００ｐｐｍ（重量／重量）であり、そして（ｉｉ）（ａ）が塩化臭素であるときは組成物中の活性臭素に対する窒素の原子比が０．９３を越え、（ａ）がアルカリ金属のジクロロ次亜臭素酸塩であるときは該組成物中の活性臭素に対する窒素の原子比が１を越える、ような量で生成させた濃厚液状殺菌剤活性臭素含有組成物を適用することを含んで成り、こゝで該表面は台所のカウンター、浴室のカウンター、壁または床であり、該表面への適用が注ぎ込み、噴霧またはアプリケーターによる適用である方法。
【請求項２】  上記適用を、布、スポンジ、ペーパータオルまたはモップであるアプリケーターにより行なう請求項１記載の方法。
【請求項３】  塩化臭素を（ａ）として用いる請求項１記載の方法。
【請求項４】  前記原子比が１を越えるようにする請求項１記載の方法。
【請求項５】  前記スルファミン酸アルカリ金属塩水溶液がスルファミン酸ナトリウム塩水溶液である請求項１記載の方法。
【請求項６】  水中で（ｉ）スルファミン酸および／またはスルファミン酸のアルカリ金属塩と（ｉｉ）アルカリ金属塩基を、ｐＨが少なくとも７のスルファミン酸アルカリ金属塩水溶液が生成するような比率で共に混合することにより、前記スルファミン酸アルカリ金属塩水溶液を生成させる請求項１記載の方法。
【請求項７】  前記アルカリ金属塩基がナトリウム塩基であり、その結果、前記スルファミン酸アルカリ金属塩水溶液がスルファミン酸ナトリウム塩水溶液である請求項６記載の方法。
【請求項８】  （ｉ）と（ｉｉ）を共に混合する時の前記アルカリ金属塩基が前以て生成させておいたアルカリ金属塩基水溶液の形態であり、そして（ｉ）が水中で前以て生成させておいたスルファミン酸スラリーの形態のスルファミン酸である請求項６記載の方法。
【請求項９】  前記濃厚液状殺菌剤組成物が更にアルカリ金属の塩化物を含有する請求項３記載の方法。
【請求項１０】  前記濃厚液状殺菌剤組成物が更にアルカリ金属の臭化物を含有する請求項３記載の方法。
【請求項１１】  前記アルカリ金属がナトリウムである請求項９または１０記載の方法。
【請求項１２】  前記ｐＨが７から１３.５の範囲である請求項１記載の方法。
【請求項１３】  アルカリ金属のジクロロ次亜臭素酸塩を（ａ）として用いる請求項１記載の方法。
【請求項１４】  前記アルカリ金属のジクロロ次亜臭素酸塩が前以て生成させておいたジクロロ次亜臭素酸アルカリ金属塩水溶液であり、そして前記スルファミン酸アルカリ金属塩水溶液が前以て生成させておいたスルファミン酸ナトリウム塩水溶液である請求項１３記載の方法。
【請求項１５】  前記前以て生成させておいたジクロロ次亜臭素酸アルカリ金属塩水溶液が前以て生成させておいたジクロロ次亜臭素酸ナトリウム水溶液である請求項１４記載の方法。
【請求項１６】  一団の水を消毒する方法であって、前記一団の水に（ａ）塩化臭素またはアルカリ金属のジクロロ次亜臭素酸塩と（ｂ）ｐＨが少なくとも７のスルファミン酸アルカリ金属塩水溶液から（ｉ）組成物中の活性臭素含有量が少なくとも１００,０００ｐｐｍ（重量／重量）で（ｉｉ）組成物中の活性臭素に対する窒素の原子比が（ａ）が塩化臭素の時には０.９３を越えそして（ａ）がアルカリ金属の次亜臭素酸塩の時には１を越えるような量で用いて生成させた濃厚液状殺菌剤組成物を導入することを含んで成り、こゝで前記濃厚液状殺菌剤組成物を、総有効ハロゲンがＣｌ2として表して１リットル当り２から１０ミリグラムの範囲の殺菌剤の濃度となるように、一団の水中に直接、一度に全部を導入する方法。
【請求項１７】  一団の水を消毒する方法であって、前記一団の水に（ａ）塩化臭素またはアルカリ金属のジクロロ次亜臭素酸塩と（ｂ）ｐＨが少なくとも７のスルファミン酸アルカリ金属塩水溶液から（ｉ）組成物中の活性臭素含有量が少なくとも１００,０００ｐｐｍ（重量／重量）で（ｉｉ）組成物中の活性臭素に対する窒素の原子比が（ａ）が塩化臭素の時には０.９３を越えそして（ａ）がアルカリ金属の次亜臭素酸塩の時には１を越えるような量で用いて生成させた濃厚液状殺菌剤組成物を導入することを含んで成り、こゝで前記濃厚液状殺菌剤組成物を、総有効ハロゲンがＣｌ2として表して１リットル当り２から１０ミリグラムの範囲の殺菌剤の濃度となるように、一団の水中に時間をかけてゆっくりと導入する方法。
【請求項１８】  前記濃厚液状殺菌剤組成物を、水が中を循環している装置を経由して前記一団の水に導入する請求項１７記載の方法。
【請求項１９】  前記総有効ハロゲンがＣｌ2として表して１リットル当たり２から５ミリグラムの範囲である請求項１６又は１７記載の方法。
【請求項２０】  前記濃厚液状殺菌剤組成物を、該一団の水の中に総有効ハロゲンがＣｌ2として表して１リットル当たり２から１０ミリグラムの範囲に維持されるように必要に応じて前記一団の水に導入する請求項１６又は１７記載の方法。
【請求項２１】  前記総有効ハロゲンがＣｌ2として表して１リットル当たり２から５ミリグラムの範囲である請求項２０記載の方法。
【請求項２２】  塩化臭素を（ａ）として用いる請求項１６又は１７記載の方法。
【請求項２３】  前記原子比が１を越える請求項２２記載の方法。
【請求項２４】  前記スルファミン酸アルカリ金属塩水溶液がスルファミン酸ナトリウム塩水溶液である請求項２２記載の方法。
【請求項２５】  水中で（ｉ）スルファミン酸および／またはスルファミン酸のアルカリ金属塩と（ｉｉ）アルカリ金属塩基をｐＨが少なくとも７のスルファミン酸アルカリ金属塩水溶液が生成するような比率で共に混合することにより前記スルファミン酸アルカリ金属塩水溶液を生成させる請求項２２記載の方法。
【請求項２６】  前記アルカリ金属塩基がナトリウム塩基であり、その結果、前記スルファミン酸アルカリ金属塩水溶液がスルファミン酸ナトリウム塩水溶液である請求項２５記載の方法。
【請求項２７】  （ｉ）と（ｉｉ）を共に混合する時の前記アルカリ金属塩基が、前以て生成させておいたアルカリ金属塩基水溶液の形態であり、そして（ｉ）が水中で前以て生成させておいたスルファミン酸スラリーの形態のスルファミン酸である請求項２５記載の方法。
【請求項２８】  前記濃厚液状殺菌剤組成物が更にアルカリ金属の塩化物を含有する請求項２２記載の方法。
【請求項２９】  前記濃厚液状殺菌剤組成物が更にアルカリ金属の臭化物を含有する請求項２２記載の方法。
【請求項３０】  前記アルカリ金属がナトリウムである請求項２８記載の方法。
【請求項３１】  前記アルカリ金属がナトリウムである請求項２９記載の方法。
【請求項３２】  前記ｐＨが７から１３.５の範囲である請求項１６または１７記載の方法。
【請求項３３】  アルカリ金属のジクロロ次亜臭素酸塩を（ａ）として用いる請求項１６または１７記載の方法。
【請求項３４】  前記アルカリ金属のジクロロ次亜臭素酸塩が前以て生成させておいたジクロロ次亜臭素酸アルカリ金属塩水溶液であり、そして前記スルファミン酸アルカリ金属塩水溶液が前以て生成させておいたスルファミン酸ナトリウム塩水溶液である請求項３３記載の方法。
【請求項３５】  前記前以て生成させておいたジクロロ次亜臭素酸アルカリ金属塩水溶液が前以て生成させておいたジクロロ次亜臭素酸ナトリウム水溶液である請求項３４記載の方法。
【請求項３６】  生物膜を根絶する非治療方法であって、前記生物膜を（ａ）塩化臭素と（ｂ）水中のスルファミン酸アルカリ金属塩を、組成物中の活性臭素に対する窒素の原子比が０.９３を越えるような量で用いて生成させた殺菌剤組成物を生物膜根絶濃度で含有する水性媒体に接触させることを含んで成る方法。
【請求項３７】  前記生物膜がＰ．エアルギノサを含んで成る請求項３６記載の方法。
【請求項３８】  前記生物膜が更にＫ．ニユーモニアを含んで成る請求項３７記載の方法。
【請求項３９】  Ｅ．コリ、Ｐ．エアルギノサまたはＳ．アウレウスを含んでなる細菌を失活させる非治療方法であって、前記細菌を（ａ）塩化臭素と（ｂ）水中のスルファミン酸アルカリ金属塩を組成物中の活性臭素に対する窒素の原子比が０.９３を越えるような量で用いて生成させた活性臭素含有殺菌剤組成物を細菌失活濃度で含有する水性媒体に接触させることを含んで成る方法。
【請求項４０】  前記活性臭素含有組成物が、該組成物を該表面に適用する前に水で稀釈される請求項３記載の方法。